(57)【要約】【課題】所定の外側形状及び所定の内側形状を持つ少なくとも一つの射出成形品を製造するための射出成形工具であって、少なくとも一つのキャビティ（３）と、少なくとも一つの溶融体をキャビティ（３）に注入するための環状ノズル口部（５）を持つ、キャビティ（３）に連結された夫々一つのホットランナーノズル（４）とを含み、少なくとも一つのキャビティ（３）は、製造されるべき射出成形品の外側形状用の外型を形成する冷却ダイ（１ａ）と、製造されるべき射出成形品の内側形状用の内型を形成するコア（２ａ）とによって形成されており、ホットランナーノズル（４）は、ノズルコア（７）と、環状ノズル口部（５）を開閉するためにノズルコア（７）に沿って変位可能な中空ニードル（６）とを有する、射出成形工具を提供する。【解決手段】ノズルコア（７）は、ホットランナーノズル（４）の環状ノズル口部（５）を越えて突出しており、ノズルコア（７）は、射出成形工具のキャビティ（３）のコア（２ａ）を形成する。
2019510664.tif 000002
【特許請求の範囲】
【請求項１】
所定の外側形状及び所定の内側形状を持つ少なくとも一つの射出成形品を製造するための射出成形工具であって、少なくとも一つのキャビティ（３）と、各々が少なくとも一つの溶融体を前記キャビティ（３）に注入するため、環状ノズル口部（５）を持ち、前記キャビティ（３）に連結された少なくとも一つのホットランナーノズル（４）とを含み、
前記少なくとも一つのキャビティ（３）は、製造されるべき前記射出成形品の前記外側形状用の外型を形成する冷却ダイ（１ａ）と、製造されるべき前記射出成形品の前記内側形状用の内型を形成するコア（２ａ）とによって形成されており、
前記ホットランナーノズル（４）は、ノズルコア（７）と、前記環状ノズル口部（５）を開閉するために前記ノズルコア（７）に沿って変位可能な中空ニードル（６）とを有する、射出成形工具であって、
前記ノズルコア（７）は、前記ホットランナーノズル（４）の前記環状ノズル口部（５）を越えて突出しており、前記ノズルコア（７）は、前記射出成形工具の前記キャビティ（３）の前記コア（２ａ）を形成する、ことを特徴とする射出成形工具。
【請求項２】
前記ノズルコア（７）は、内側冷却コア（８）及び外側コア（９）を含む、ことを特徴とする請求項１に記載の射出成形工具。
【請求項３】
前記ノズルコア（７）は、前記ホットランナーノズル（４）の前記ノズル口部（５）の上流に、少なくとも一つの断熱ジャケット（１１）を含み、これに沿って前記中空ニードル（６）が案内される、ことを特徴とする請求項１又は２に記載の射出成形工具。
【請求項４】
前記断熱ジャケット（１１）は、セラミック製、熱伝導率が低い金属製、又は熱伝導率が低い合金製である、ことを特徴とする請求項３に記載の射出成形工具。
【請求項５】
前記外側コア（９）は、前記ノズル口部（５）の領域に、前記ノズル口部（５）の一方の側を形成する周囲肩部又は周囲フランジ（１３）を有する、ことを特徴とする請求項２乃至４のうちのいずれか一項に記載の射出成形工具。
【請求項６】
前記外側コア（９）は、前記ノズル口部（５）の上流に周囲凹所（１２）を有する、ことを特徴とする請求項２乃至５のうちのいずれか一項に記載の射出成形工具。
【請求項７】
前記ホットランナーノズル（４）は、同心の層をなした溶融体流れを前記キャビティ（３）に注入するための共射出成形ノズルである、ことを特徴とする請求項１乃至６のうちのいずれか一項に記載の射出成形工具。
【請求項８】
被冷却ダイプレート（１）が前記ダイ（１ａ）を形成する、ことを特徴とする請求項１乃至７のうちのいずれか一項に記載の射出成形工具。
【請求項９】
前記コア（２ａ）は冷却されており、被冷却コアプレート（２）に配置される、ことを特徴とする請求項１乃至８のうちのいずれか一項に記載の射出成形工具。
【請求項１０】
前記ホットランナーノズル（４）は、シールリング（３３）によって被冷却コアプレートに取り付けられる、ことを特徴とする請求項１乃至９のうちのいずれか一項に記載の射出成形工具。
【請求項１１】
環状ノズル口部と、ノズルコア（７）と、前記環状ノズル口部（５）を開閉するために前記ノズルコア（７）に沿って変位可能な中空ニードル（６）とを有する、射出成形工具用のホットランナーノズル（４）において、
前記ノズルコア（７）は、前記ホットランナーノズル（４）の前記環状ノズル口部（５）を越えて突出しており、前記ノズルコア（７）は、前記ホットランナーノズル（４）の設置状態で、前記射出成形工具のキャビティ（３）のコア（２ａ）を形成する、ことを特徴とするホットランナーノズル。
【請求項１２】
前記ノズルコア（７）は、内側冷却コア（８）及び外側コア（９）を含む、ことを特徴とする請求項１１に記載のホットランナーノズル。
【請求項１３】
前記ノズルコア（７）は、前記ホットランナーノズル（４）の前記ノズル口部（５）の上流に、少なくとも一つの断熱ジャケット（１１）を含み、これに沿って前記中空ニードル（６）が案内される、ことを特徴とする請求項１１又は１２に記載のホットランナーノズル。
【請求項１４】
請求項１乃至１０のうちのいずれか一項に記載の射出成形工具を使用して射出成形部品を製造するための方法。
【請求項１５】
ａ）前記射出成形工具を閉鎖し、前記ホットランナーノズル（４）の前記ノズルコア（７）を前記被冷却ダイ（１ａ）に導入することによって、射出成形品を射出成形するための被冷却キャビティ（３）を形成する工程と、
ｂ）前記ノズルコア（７）の周囲を延びる環状ノズル口部（５）を通して少なくとも一つの溶融体を前記被冷却キャビティ（３）に注入する工程と、
ｃ）前記射出成形工具を開放し、前記射出成形品を取り出す工程とを含む、ことを特徴とする請求項１４に記載の方法。
【発明の詳細な説明】
【技術分野】
【０００１】
本発明は、所定の外側形状及び所定の内側形状を持つ少なくとも一つの射出成形品を製造するための射出成形工具に関する。射出成形品は、少なくとも一つのキャビティと、少なくとも一つの溶融体をキャビティに注入するための環状ノズル口部を持つ、キャビティに連結された夫々一つのホットランナーノズルを含む。
【背景技術】
【０００２】
プラスチック容器又は容器状プラスチック品は、多くの場合、射出成形工具で射出成形によって製造されている。こうした製品用の射出成形工具は、液状のプラスチックが、ホットランナーノズルを介して、ノズル口部を通して注入される少なくとも一つの被冷却キャビティを含む。キャビティは、製造されるべき容器の外型を形成するダイ及び製造されるべき容器の内型を形成するコアによって形成される。高温の溶融体は、注入後、被冷却キャビティ内で固化し、射出成形工具又はキャビティの開放後、取り出すことができる。
【０００３】
基部が閉鎖されたプラスチック容器用の公知の射出成形工具では、プラスチックを注入するための注入点は、ベース領域の中央に配置されており、溶融体は、射出成形品の中央領域から周囲領域に流入する。射出成形工具の最も簡単な設計では、ホットランナーノズルはダイ側に配置されている。これにより、周囲が小さい容器、背の高い又は細い容器、又はプラスチックボトル用のブランクを製造できる。
【０００４】
射出成形工具には、簡単で小型のホットランナーノズルをコア側に配置できるものもある。しかしながら、これは、容器の周囲が十分に大きく、そのため、ホットランナーノズルの周囲を延びる射出成形工具のコアを冷却できることが前提である。
【０００５】
例えばベースに中央開口部があるチューブヘッド(tube heads)や容器等の容器状射出成形品の場合には、パンク射出成形(puncture injection)は適していない。このような射出成形品は、ダイ側で開口部の周囲に環状をなして注入され、この場合、溶融体は、射出成形品の中央領域から周囲領域に流入する。例は、WO 14044647、EP 1504873、US 9050747、及びWO 15059020に示されている。
【先行技術文献】
【特許文献】
【０００６】
【特許文献１】WO 14044647
【特許文献２】EP 1504873
【特許文献３】US 9050747
【特許文献４】WO 15059020
【発明の概要】
【発明が解決しようとする課題】
【０００７】
本発明の目的は、中央からの注入が適していない又は望ましくない射出成形品を製造するため、周囲から環状をなして注入を行うことができる、射出成形工具を提供することである。
【課題を解決するための手段】
【０００８】
所定の外側形状及び所定の内側形状を持つ少なくとも一つの射出成形品を製造するための射出成形工具は、少なくとも一つのキャビティと、各々が少なくとも一つの溶融体をキャビティに注入するため、環状ノズル口部を持ち、キャビティに連結された少なくとも一つのホットランナーノズルとを含む。少なくとも一つのキャビティは、製造されるべき射出成形品の外側形状用の外型を形成する被冷却ダイと、製造されるべき射出成形品の内側形状用の内型を形成するコアとによって形成されている。ホットランナーノズルは、ノズルコアと、環状ノズル口部を開閉するためにノズルコアに沿って変位可能な中空ニードルとを有する。ノズルコアは、ホットランナーノズルの環状ノズル口部を越えて突出しており、射出成形工具のキャビティのコアを形成する。
【０００９】
従って、このような射出成形工具では、ホットランナーノズルは、ホットランナーノズル内で軸線方向に移動できないノズルコアによって製造されるべき射出成形品の内側形状用の内型を同時に形成する。即ち、環状ノズル口部を越えて突出したノズルコアの領域の横面及び前側が射出成形品の内型を形成する。幾つかの場所では、射出成形品に凹所が形成されるようにノズルコアの前側がダイと接触してもよい。ノズルコアを取り囲むホットランナーノズルの環状ノズル口部によって、溶融体をキャビティの環状隙間に注入する。溶融体は、ノズルコアに沿って、ホットランナーノズルの長さ方向軸線の方向に少なくとも部分的に流れる。溶融体は、次いで、キャビティ内で冷却し、固化し、射出成形品を形成する。射出成形工具を開いたら、即ちダイとコアとを引き離した後、射出成形品を取り出す。
【００１０】
従って、射出成形工具により、周囲領域から環状をなして注入することによって、一部品射出成形品を製造できる。溶融体は、周囲領域から中央領域にホットランナーノズルの長さ方向軸線の方向に流入する。かくして、穴が開いていたり環状であったりするベース領域の中央射出部が形成されることがなく、又は望ましくない、例えばプラスチック容器又は容器状部品を製造できる。例えばプラスチック製でない部品、例えば注入ニードルが中央ベース領域にオーバーモールドされるべきである。
【００１１】
ここで容器状射出成形品とは、プラスチック容器の他に、所定の内側形状及び外側形状を持つ射出成形品又はプラスチック製品を意味する。
【００１２】
ベース及び壁には凹所が更に設けられていてもよく、射出成形品は、追加のエレメントを設けるだけで閉鎖容器になり、又は閉鎖可能容器になる。
【００１３】
幾つかの実施例では、ノズルコアは、強制冷却式内側冷却コア、詳細には水冷式冷却コア及び外側コアを含んでいてもよい。外側コアは、キャビティの内型を形成し、所望の射出成形品の内側形状に従って形成できる。冷却コアは、円形の円筒形構造を備えていてもよく、ノズルを通して外側コアを効率的に冷却できる。外側コアを所望の内型に適合するだけで、キャビティが異なる射出成形工具についてその形態を変えずに使用できる。冷却コア及び外側コアは、冷却コアの前側が内型の一部を形成し、外側コアが冷却コアをスリーブ状に包囲するように形成されていてもよい。直径が３ｍｍ以上の強制冷却式ノズルコアを使用できる。
【００１４】
幾つかの実施例では、ノズルコアは、ノズル口部の上流に少なくとも一つの断熱ジャケットを備えていてもよく、このジャケットに沿って中空ニードルが案内される。断熱ジャケットは、セラミック製であってもよく、又は熱伝導率が低い金属又は熱伝導率が低い合金（例えばクロム鋼）で形成されていてもよい。熱伝導率が低い金属／合金は、ホットランナーノズルの被加熱部品用の合金よりも熱伝導率が低い。好ましくは、熱伝導率は、５０λ（W/(m*K) )以下である。（ＤＩＮ  Ｖ  ４１０８−４に従って計測した）
【００１５】
幾つかの実施例では、断熱ジャケットはキャビティまで延びている。しかしながら、キャビティを更に良好に冷却するため、冷却を受ける外側コアは、ノズル口部領域に周囲肩部又は周囲フランジを備えていてもよい。周囲肩部／周囲フランジは、ノズル口部の一方の側を形成し、被冷却ダイプレート、被冷却コアプレート、及びホットランナーノズルの被冷却ノズルコアによってキャビティが完全に形成されるように、キャビティの一部を形成できる。この場合、断熱ジャケットは、周囲肩部／フランジに達する。
【００１６】
幾つかの実施例では、外側コアは、ノズルコアとホットランナーノズルの被加熱部との間の熱橋又は冷橋を低減するため、ノズル口部の上流に周囲凹所を備えていてもよい。好ましくは、周囲凹所は、溶融体がノズルコアに沿ってぴったりと案内されるホットランナーノズルの前領域に配置されている。
【００１７】
幾つかの実施例では、ホットランナーノズルは、同心の層をなした溶融体の流れをキャビティに注入するための共射出成形ノズルであってもよい。この場合、層をなした溶融体の流れは、第１溶融体でできた二つの外層及び第２溶融体でできた一つの内層を含んでいてもよい。内層は、例えば、いわゆるバリア層であってもよい。詳細には、リブ、突出部、及び凹所等の複雑な構造がベース領域に設けられた多層容器又は容器状射出成形品の場合、層をなした溶融体の流れの乱流により、不利なことに、これを中央点から注入することができない。
【００１８】
幾つかの実施例では、被冷却ダイプレートがダイを形成してもよい。
【００１９】
幾つかの実施例では、コアを冷却してもよく、被冷却コアプレートに配置してもよい。
【００２０】
幾つかの実施例では、ホットランナーノズルは、シールリングによって被冷却コアプレートに取り付けられてもよい。
【００２１】
幾つかの実施例では、ホットランナーノズルは、バルブニードルが中空ニードルであり、共射出成形ノズルが上文中に説明したノズルコアを有することが異なる、同じ出願人のＰＣＴ／ＥＰ２０１５／０７１６６７及びＰＣＴ／ＥＰ２０１５／０７１６６８に記載された共射出成形ノズルと同様の構造を備えていてもよい。
【００２２】
多層射出成形品を製造するためのこのようなホットランナーノズル又は共射出成形ノズルは、第１溶融体用の第１溶融体供給チャンネルと、第２溶融体用の第２溶融体供給チャンネルと、中央ボアと、環状ノズル口部を開閉するため、中央ボア内に軸線方向に移動自在に受け入れられた中空ニードルと、共射出成形ノズルの上流に差し向けられた領域に中央ボア及び中空ニードルによって形成された、第１溶融体供給チャンネルに流動学的に連結された環状内溶融体チャンネルと、第２溶融体供給チャンネルに流動学的に連結された、環状内溶融体チャンネルの周囲を延びる環状中央溶融体チャンネルと、第１溶融体供給チャンネルに流動学的に連結された、環状中央溶融体チャンネルの周囲を延びる環状外溶融体チャンネルとを含み、内溶融体チャンネル、中央溶融体チャンネル、及び外溶融体チャンネルは、ノズルチップ領域で流動学的に組み合わせられ、層をなした同心の溶融体流れを形成する。キャビティのコアを同時に形成できる上文中に説明したノズルコアは、中空ニードル内に配置されている。
【００２３】
共射出成形ノズルは、更に、ノズル本体と、中央ボアを持つ溶融体分配器挿入体とを含む。溶融体分配器挿入体は、ノズル本体の中央ボアに受け入れられ、好ましくは、ノズルチップに向かってテーパした円筒形形状を有する。第１溶融体用の少なくとも一つの分配器チャンネル及び第２溶融体用の少なくとも一つの分配器チャンネルがジャケット表面又は外面に沿って形成されており、これらのチャンネルが夫々の溶融体をノズルチップの方向に案内する。
【００２４】
第１溶融体用の少なくとも一つの分配器チャンネルは、第１溶融体供給チャンネル及び環状内溶融体チャンネルの上流に流動学的に連結でき、環状外溶融体チャンネルの下流に連結できる。第１溶融体用の少なくとも一つの分配器チャンネルは、第１溶融体を環状外溶融体チャンネルに更に均等に分配するため、下流が分枝していてもよい。
【００２５】
第２溶融体用の少なくとも一つの分配器チャンネルは、第２溶融体供給チャンネルの上流に流動学的に連結でき、環状中央溶融体チャンネルの下流に連結できる。第２溶融体用の少なくとも一つの分配器チャンネルは、第２溶融体を環状中央溶融体チャンネルに更に均等に分配するため、下流が分枝していてもよい。これにより、溶融体を直径が４０ｍｍ以上の環状溶融体チャンネルに効率的に且つ均等に分配できる。
【００２６】
共射出成形ノズルは、更に、分割スリーブを含む。この分割スリーブは、その内面が環状中央溶融体チャンネルを部分的に形成し、外面が環状外溶融体チャンネルを部分的に形成する。
【００２７】
第１溶融体用の少なくとも一つの分配器チャンネルは、下流を分割スリーブのボアを介して環状外溶融体チャンネルに連結できる。分割スリーブは、第１溶融体を環状外溶融体チャンネルに効率的に且つ均等に分配するため、更に、分配器チャンネル、好ましくは分枝した分配器チャンネルを外面に有する。
【００２８】
共射出成形ノズルは、更に、複数の第１及び第２の溶融体供給チャンネルを含んでいてもよい。これらの溶融体供給チャンネルは、各々、分配器チャンネルを介して夫々の環状溶融体チャンネルに連結されている。これにより、溶融体を直径が４０ｍｍ以上の大径の環状溶融体チャンネルに効率的に且つ均等に分配できる。
【００２９】
共射出成形ノズルは、詳細には、分配器チャンネルの分枝に関し、分割スリーブの追加の分配器チャンネル及び／又は第１及び第２の溶融体用の複数の溶融体供給チャンネルをそれ自体別個の発明であると考えることができる。これは、ノズルコアの形体とも別個であり、詳細には、ノズルコアがノズル口部までしか延びていないか或いはノズル口部を越えて突出しており、これによりキャビティの一部を完全に又は部分的に形成するか否か、又は冷却されているか否かとは別個である。このような共射出成形ノズルの利点は、これまで可能であったよりもかなり大きい直径で環状に注入できるということである。上文中に説明したノズルコアと組み合わせることにより、例えば直径が４０ｍｍ以上の容器を、広幅側から、又は周囲側から射出成形することもできる。これはこれまでなし得なかったことである。
【００３０】
本発明は、更に、環状ノズル口部と、ノズルコアと、環状ノズル口部を開閉するためにノズルコアに沿って変位可能な中空ニードルとを有する、射出成形工具用の、一つ又はそれ以上の溶融体用のホットランナーノズル（即ち単射出成形用又は共射出成形用のホットランナーノズル）に関する。ノズルコアは、ホットランナーノズルの環状ノズル口部を越えて突出しており、ノズルコアは、ホットランナーノズルの設置状態で、射出成形工具のキャビティのコアを形成する。ノズルコアは、上述したように形成できる。
【００３１】
本発明は、更に、上述した射出成形工具を使用して所定の内側形状及び所定の外側形状を持つ射出成形品を製造するための方法に関する。本方法は、
ａ）射出成形工具を閉鎖し、ホットランナーノズルのノズルコアを被冷却ダイに導入することによって、射出成形品を射出成形するための被冷却キャビティを形成する工程と、  ｂ）ノズルコアの周囲を延びる環状ノズル口部を通して少なくとも一つの溶融体を被冷却キャビティに注入する工程と、
ｃ）射出成形工具を開放し、射出成形品を取り出す工程とを含む。
【００３２】
幾つかの溶融体を、例えばバリア層を内層とした層状溶融体流れとして共射出成形する場合、先ず最初に第１溶融体だけを注入し、次いで層状の溶融体の流れだけを注入する。
【００３３】
本発明を、添付図面に示す例示の実施例を参照して以下に詳細に説明する。
【図面の簡単な説明】
【００３４】
【図１】図１は、射出成形工具の断面図である。
【図２】図２は、分配器挿入体の側面図である。
【図３】図３は、分配器挿入体の側面図である。
【図４】図４は、ノズル口部領域のホットランナーノズルの詳細図である。
【発明を実施するための形態】
【００３５】
射出成形工具は、キャビティ３用のダイ１ａを形成するダイプレート１及びホットランナーノズル４を受け入れるコアプレート２を含む。ホットランナーノズル４は、環状ノズル口部５及び中空ニードルを有し、ノズル口部５は、中空ニードルによって開閉できる。この目的のため、中空ニードル６は、軸線方向に移動不能のノズルコア７に沿って移動自在に案内される。ノズルコア７は、環状ノズル口部を越えて突出し、キャビティ３のコア２ａを形成する。
【００３６】
図示の実施例では、ノズルコア７は、冷媒、特に水で強制的に冷却される内側冷却コア８及び外側コア９を含む。外側コア９の下流に差し向けられた端部及び冷却コア８の下流に差し向けられた前面１０がキャビティ３のコア２ａを形成する。即ち、これらは、製造されるべき射出成形品の内側形状の陰型（ｎｅｇａｔｉｖｅ）と対応する。外側コアは、コア２ａの前面全体を形成してもよい。図示の実施例では、ノズルコア７は、ノズル口部の上流に、断熱ジャケット１１を有する。断熱ジャケット１１は、セラミック製、又はホットランナーノズル４の被加熱部品用の合金よりも熱伝導率が低い合金（例えばクロム鋼）製である。断熱ジャケット１１は、ホットランナーノズル４の高温の部品と、冷却を受けるノズルコア８又は外側コア９との間の熱伝導を減少する。この熱伝導は、外側コア９のジャケット表面にノズル口部５の上流に設けられた周囲凹所１２によって更に低下される。断熱ジャケット１１は、ノズル口部５まで延びている。中空ニードル６は、ノズルコア７の断熱ジャケット１１に沿って案内される。ホットランナーノズルは、断熱ジャケットを一つ以上備えていてもよい。
【００３７】
図１に示す実施例では、断熱ジャケット１１はキャビティ３まで延びている。図４は、ホットランナーノズルのノズル口部領域（図１で円Ａで囲った領域）の詳細図を示す。図１のホットランナーノズルと異なり、図４のホットランナーノズルの外側コア９は、ノズル口部５の領域に周囲フランジ１３を有する。周囲フランジ１３はキャビティ３の一部を形成し、そのため、キャビティ３は、被冷却ダイプレート１、被冷却コアプレート２、及びホットランナーノズル４の被冷却ノズルコア７によって形成される。この場合、断熱ジャケット１１は周囲フランジ１３までしか延びておらず、被冷却ノズルコアをホットランナーノズル４の加熱された部品に関して断熱する。図示の共射出成形ノズルには、以下に更に詳細に説明するように、ノズル本体３０、溶融体分配器挿入体３１、分割スリーブ３２、及び保持−シールスリーブ３３が設けられている。キャビティの形状に応じて、周囲フランジを断熱ジャケットが載止する肩部として形成することもできる。
【００３８】
ホットランナーノズルは、一つの溶融体用に設計されていてもよいし、共射出成形ノズルとして幾つかの溶融体用に設計されていてもよい。図示の図１の実施例では、ホットランナーノズルは、第１溶融体Ａの二つの外層及び第２溶融体Ｂの内層、例えばいわゆるバリア層を形成する三層溶融体流用の共射出成形ノズルとして形成されている。環状ノズル口部の上流の第１領域では、共射出成形ノズルは、環状内溶融体チャンネル２０、環状中央溶融体チャンネル２１、及び外溶融体チャンネル２２を有する。環状内溶融体チャンネル２０及び外溶融体チャンネル２２は、第１溶融体Ａ用の少なくとも一つの溶融体供給チャンネル２３ａ、２３ｂに流動学的に連結されている。環状中央溶融体チャンネル２１は、第２溶融体Ｂ用の少なくとも一つの溶融体供給チャンネル２５（紙面の前方及び後方に配置されているために図１では確認できない）に流動学的に連結されている。
【００３９】
図１に示す共射出成形ノズル４は、ノズル本体３０、溶融体分配器挿入体３１、分割スリーブ３２、及び保持−シールスリーブ３３（又はシールリング）を含む。ノズル本体３０には加熱エレメント３４が設けられている。図２は、図１の溶融体分配器挿入体の側面図を示す。図３は、図１の溶融体分配器挿入体２１及び分割スリーブ２２の側面図を示す。
【００４０】
共射出成形ノズル４は、溶融体分配器挿入体３１を軸線方向に貫通した中央ボアを有し、ここに中空ニードル６が移動自在に受け入れられている。中央ボアは、中央から下部までの領域（即ち下流領域）の直径が上領域（即ち上流領域）よりも大きく、そのため、中空ニードル６に沿って環状内溶融体チャンネル２０が形成される。中空ニードル６は、環状内溶融体チャンネル２０の断面を拡大するため、この領域がテーパしていてもよい。更に、中空ニードルだけがテーパしているように形成されており且つ中央ボアの直径が全長に亘って同じであってもよい。移動不能のノズルコアが中空ニードル６の内側に配置されている。ノズルコアは、上文中に説明した被冷却ノズルコア７として形成されていてもよく、これは、溶融体の流れ方向でホットランナーノズル４のノズル口部５を越えて突出し、製造されるべき射出成形部品の内側形状用の内型を形成する射出成形工具のコアプレート２の被冷却コア２ａを形成する。
【００４１】
環状中央溶融体チャンネル２１は、分配器挿入体３１の外面及び分割スリーブ３２の内面によって形成される。環状外溶融体チャンネル２２は、分割スリーブ３２の外面及び保持−シールスリーブ３３の内面によって形成される。
【００４２】
図示の実施例では、環状内溶融体チャンネル２０は、上流が第１溶融体Ａ用の二つの第１溶融体供給チャンネル２３ａ、２３ｂに流動学的に連結されている。環状内溶融体チャンネル２０の下流は、ノズル口部５に流動学的に連結されている。第１溶融体Ａ用の二つの第１溶融体供給チャンネル２３ａ、２３ｂは、溶融体分配器挿入体３１の上側に設けられた第１溶融体供給開口部からノズル本体を部分的に通過して環状内溶融体チャンネル２０まで延びている。更に、各場合において、第１溶融体Ａ用の少なくとも一つの溶融体分配器チャンネル２４ａ（図１に上端だけが示してある）が、二つの第１溶融体供給チャンネル２３ａ、２３ｂに流動学的に連結されており、夫々の溶融体Ａを共通の環状外溶融体チャンネル２２に導入する。
【００４３】
従って、第１溶融体Ａは、二つの溶融体供給チャンネル及び夫々の溶融体分配器チャンネルを介して共通の環状内溶融体チャンネル２０及び共通の環状外溶融体チャンネル２２内に案内される。
【００４４】
更に、図示の実施例では、共射出成形ノズル４は、第２溶融体Ｂ用の二つの第２溶融体供給チャンネルを含む（図１には示さず）。図２及び図３では、これらの二つの第２溶融体供給チャンネル２５ａの一方が矢印で示してあり、その端部を溶融体分配器挿入体３１の外面で確認できる。第２溶融体Ｂ用のこれらの二つの第２溶融体供給チャンネルは、第１溶融体Ａ用の第１の二つの第２溶融体供給チャンネル２４ａ、２４ｂと同様に、溶融体分配器挿入体３１の上側に設けられた夫々の溶融体供給開口部からノズル本体３０を部分的に通過し、第２溶融体Ｂ用の少なくとも一つの溶融体分配器チャンネルまで夫々延びている。第２溶融体Ｂ用の溶融体分配器チャンネルは、下流が、共通の環状中央溶融体チャンネル２１に流動学的に連結されている。
【００４５】
第１溶融体Ａ用の溶融体分配器チャンネル及び第２溶融体Ｂ用の溶融体分配器チャンネルの両方が分配器挿入体２１の外面に（例えば研削加工によって）形成されており、これらのチャンネルは、半径方向外側が、ノズル本体３０の内面又は分配スリーブ３２によって限定されている。
【００４６】
第１溶融体Ａ用の溶融体分配器チャンネル２４ａは、環状中央溶融体チャンネル２１の上で終端する。これらのチャンネルは、分割スリーブ３２の通穴２７を通して、分割スリーブ３２の外面に形成された溶融体分配器チャンネル２８に各々連結されており、これらのチャンネルは、最終的には、環状外溶融体チャンネル２２に流動学的に連結される。別の態様では、ボアは、環状外溶融体分配器チャンネル２２内に直接延びていてもよい。
【００４７】
特に環状ノズル開口部５が大径である場合、溶融体Ａ、Ｂを環状外溶融体チャンネル２２及び環状中央溶融体チャンネル２１に均等に分配するため、分配器挿入体３１の外面に設けられた夫々の溶融体分配器チャンネルは、例えば図２及び図３に示すように、分枝部又は分岐部を備えていてもよい。分割スリーブ３２に設けられた溶融体分配器チャンネルもまた、分枝部又は分岐部を備えていてもよい。各分枝部又は分岐部の後、全流れ断面に亘って適切な均等な流量を達成するため、チャンネルの断面が小さくなってもよい。
【００４８】
環状溶融体は、環状内溶融体チャンネル２０、環状中央溶融体チャンネル２１、環状外溶融体チャンネル２２から流れ、ノズル口部５を通る出口の直前に組み合わさり、同心に層をなした溶融体流れを形成する。これは、最終的には、ノズル口部５を通ってキャビティ３に入る。
【符号の説明】
【００４９】
１    ダイプレート
１ａ  ダイ
２    コアプレート
２ａ  コア
３    キャビティ
４    ホットランナーノズル
５    環状ノズル口部
６    中空ニードル
７    ノズルコア
８    冷却コア
９    外側コア
１０  前面
１１  断熱ジャケット
１２  周囲凹所
１３  周囲フランジ
２０  環状内溶融体チャンネル
２１  環状中央溶融体チャンネル
２２  環状外溶融体チャンネル  ２３ａ、２３ｂ  溶融体Ａ用の溶融体供給チャンネル
２４ａ  溶融体分配器チャンネル
２５ａ  溶融体Ｂ用の溶融体供給チャンネル
２６ａ  溶融体Ｂ用の溶融体分配器チャンネル
２７    通穴
２８    溶融体Ａ用の分割スリーブに設けられた溶融体分配器チャンネル
３０    ノズル本体
３１    溶融体分配器挿入体
３２    分割スリーブ
３３    保持−シールスリーブ／シールリング
３４    加熱エレメント
【図１】
2019510664.tif 000003
【図２】
2019510664.tif 000004
【図３】
2019510664.tif 000005
【図４】
2019510664.tif 000006
【国際調査報告】
2019510664.tif 000007
2019510664.tif 000008
2019510664.tif 000009
2019510664.tif 000010